(57)【要約】      （修正有）【課題】体を傷つけてしまう可能性が低減されたカッター及びシート切断器具を提供する。【解決手段】カッター１０は、回転軸回りに回転する回転刃１６を備え、回転刃１６の刃先の角度が、８０〜１００度となっている。カッター１０は、回転刃１６の回転軸を支持する支持部１４と、支持部１４に設けられ、支持部１４が延びる方向と異なる方向に延びる柄１２と、を備えている。回転刃１６の刃先の角度は、８５〜９０度であることがより好ましい。【選択図】図１
0003200912.tif 000002
【実用新案登録請求の範囲】
【請求項１】
回転軸回りに回転する回転刃を備えたカッターであって、
前記回転刃の刃先の角度が、８５〜９０度であるカッター。
【請求項２】
回転軸回りに回転する回転刃を備えたカッターであって、
前記回転刃の刃先の角度が、８０〜１００度であるカッター。
【請求項３】
請求項１又は２記載のカッターにおいて、
前記回転刃の回転軸を支持する支持部と、
前記支持部に設けられ、前記支持部が延びる延びる方向と異なる方向に延びる柄と、を備えたカッター。
【請求項４】
シートが載せられる下敷きと、
前記下敷きに載せられた前記シートを切断するカッターと、を備えたシート切断器具であって、
前記カッターが、回転軸回りに回転する回転刃を備え、
前記回転刃の刃先の角度が、８５〜９０度であるシート切断器具。
【請求項５】
請求項４記載のシート切断器具において、
前記下敷きが、メラミンを含んだ材料で形成されているシート切断器具。
【考案の詳細な説明】
【技術分野】
【０００１】
本考案は、カッター及びシート切断器具に関する。
【背景技術】
【０００２】
特許文献１には、カッターナイフが記載されている。このカッターナイフは、ホルダと、ホルダに一側が開口して設けられた収納腔と、収納腔に進退可能に設けられたスライダと、収納腔に出入可能に設けられてスライダ並びにブレードの進退に依り収納腔の開口を開閉するカバーと、から構成した事を特徴としている。
また、特許文献２には、紙、布、封筒、紐等の切断に用いる手持ち式カッターナイフであって、円形刃を備えたカッターナイフが記載されている。
【先行技術文献】
【特許文献】
【０００３】
【特許文献１】実公平４−４５６７８号公報
【特許文献２】特許第３７３３５７０号公報
【考案の概要】
【考案が解決しようとする課題】
【０００４】
本考案は、体を傷つけてしまう可能性が低減されたカッター及びシート切断器具を提供することを目的とする。
【課題を解決するための手段】
【０００５】
前記目的に沿う第１の考案に係るカッターは、回転軸回りに回転する回転刃を備えたカッターであって、
前記回転刃の刃先の角度が、８５〜９０度である。
【０００６】
前記目的に沿う第２の考案に係るカッターは、回転軸回りに回転する回転刃を備えたカッターであって、
前記回転刃の刃先の角度が、８０〜１００度である。
【０００７】
第１又は第２の考案に係るカッターにおいて、
前記回転刃の回転軸を支持する支持部と、
前記支持部に設けられ、前記支持部が延びる延びる方向と異なる方向に延びる柄と、を備えることが好ましい。
【０００８】
前記目的に沿う第３の考案に係るシート切断器具は、シートが載せられる下敷きと、
前記下敷きに載せられた前記シートを切断するカッターと、を備えたシート切断器具であって、
前記カッターが、回転軸回りに回転する回転刃を備え、
前記回転刃の刃先の角度が、８５〜９０度である。
【０００９】
第３の考案に係るシート切断器具において、
前記下敷きが、メラミンを含んだ材料で形成されていることが好ましい。
【考案の効果】
【００１０】
本考案によれば、体を傷つけてしまう可能性が低減されたカッター及びシート切断器具を提供できる。
【図面の簡単な説明】
【００１１】
【図１】本考案の一実施の形態に係るカッターの斜視図である。
【図２】同カッターの先端部を示す拡大図である。
【図３】同カッターが備える回転刃の断面図である。
【図４】同カッターの使用状態を示す説明図である。
【考案を実施するための形態】
【００１２】
続いて、添付した図面を参照しつつ、本考案を具体化した実施の形態につき説明し、本考案の理解に供する。なお、図において、説明に関連しない部分は図示を省略する場合がある。
【００１３】
本考案の一実施の形態に係るカッター１０は、図１に示すように、柄１２、支持部１４、及び回転刃１６を備え、紙（シートの一例）を切断することができる。
【００１４】
柄１２は、一方（柄１２の中心軸ＡＸ１が延びる方向）に延びる棒状の部材である。柄１２は、例えば樹脂で形成されている。柄１２の先端側の表面には、すべり止めとなるゴム製のグリップ部１８が取り付けられている。グリップ部１８には、第１の接触面１８２ａ、第２の接触面１８２ｂ、及び第３の接触面（不図示）が形成され、第１の接触面１８２ａ、第２の接触面１８２ｂ、及び第３の接触面に、それぞれ使用者の人差し指、親指、及び中指が当たるようになっている。なお、第１の接触面１８２ａ、第２の接触面１８２ｂ、及び第３の接触面の中心軸ＡＸ１回りの位置（Ｒ方向の位置）は、第１の接触面１８２ａに人差し指が当たるようにグリップ部１８を持った場合に、切断作業がし易くなるように設定されている。
【００１５】
支持部１４は、図２に示すように、柄１２の先端部の側部に設けられている。支持部１４は、柄１２が延びる方向（柄１２の中心軸ＡＸ１が延びる方向）と異なる方向（支持部１４の中心軸ＡＸ２が延びる方向）に延びている（図１参照）。詳細には、支持部１４は、柄１２が延びる方向とカッター１０の先端側にて交差する方向に延びており、柄１２と一体に形成された樹脂製の樹脂部１４ａと、樹脂部１４ａの先端部表面を覆うように取り付けられた金属製の金属部１４ｂと、を有している。
【００１６】
回転刃１６は、円板状であり、周縁部に刃が形成されている。回転刃１６は、中心を通る回転軸ＡＸ３回りに回転でき、この回転軸ＡＸ３は、支持部１４の先端部（金属部１４ｂの先端部）に支持されている。回転刃１６の直径は、例えば６〜８ｍｍである。回転刃１６の材質は、例えば、鋼よりも硬度が高いタングステン鋼である。
前述の通り、回転刃１６は、柄１２が延びる方向と異なる方向に延びる支持部１４によって支持されているので、支持部１４を備えておらず回転刃１６が柄１２の先端部に支持されている従来のカッターと比較して、切断作業の際に刃先の切断箇所をより視認しやすい。
【００１７】
ここで考案者は、図３に示す回転刃１６の刃先の角度αを順次変更し、角度αと、紙を切断する性能（回転刃１６の切れ味）と、の関係について官能試験を実施した。また、考案者は、角度αと、回転刃１６を手に当てた場合の傷つき難さと、の関係についても官能試験を実施した。その結果を表１に示す。
なお、紙は普通紙である。
【００１８】
【表１】
0003200912.tif 000003
【００１９】
表１に示す試験結果によれば、紙を切断する性能については、角度αが小さくなるほど向上し、１００度以下であることが好ましく、９０度以下であることが更に好ましいことが判明した。また、手の傷つき難さについては、角度αが大きくなるほど良好となり、８０度以上であることが好ましく、８５度以上であることが更に好ましいことが判明した。
【００２０】
すなわち、紙を切断する性能及び手の傷つき難さを両立させるためには、回転刃１６の刃先の角度αが、８０〜１００度に設定されることが好ましく、８５〜９０度に設定されることが更に好ましいことが明らかとなった。
このように、回転刃１６の刃先の角度αが８０〜１００度（更に好ましくは８５〜９０度）に設定されていることにより、紙を切断する性能が維持されるとともに手を切ってしまう可能性が低減される。
【００２１】
次に、カッター１０の使用方法について説明する。使用者は、以下のステップＳ１〜Ｓ４に従ってカッター１０を使用することで、紙を切断できる。
【００２２】
（ステップＳ１）
紙Ｐ、下敷き２０（図４参照）、及びカッター１０を準備する。下敷き２０は、メラミンを含んだ硬質の材料で形成されていることが好ましい。
なお、少なくとも下敷き２０及びカッター１０により、シート切断器具が構成される。
【００２３】
（ステップＳ２）
下敷き２０を作業台（不図示）の上に敷く。続いて、下敷き２０の上に紙を載せる。
【００２４】
（ステップＳ３）
カッター１０のグリップ部１８を握る。第１の接触面１８２ａに人差し指が当たるように握ると、柄１２の中心軸ＡＸ１回りの位置（Ｒ方向の位置）が安定し、回転刃１６の向きが定まるので、切断作業がし易くなる。
なお、グリップ部１８を握って持つことも可能であり、ゴム製のグリップ１８がすべり止めとして機能する。
【００２５】
（ステップＳ４）
回転刃１６を紙Ｐに当て、下敷き２０の方向に力を加えるとともに回転刃１６が回転するようにカッター１０を移動させると（図４に示す矢印方向参照）、紙Ｐが切断される。
その際、誤って回転刃１６が手に当たっても、回転刃１６の刃先の角度α（図３参照）が前述の予め決められた大きさに設定されているので、自らの体を傷つけてしまう可能性が低減される。
なお、紙Ｐは、カッター１０を図４に示す矢印方向に引いて切断するだけではなく、押して切断することも可能である。
【００２６】
このように、カッター１０を使用することにより、切断作業の際に自らの体を傷つけてしまう可能性が低減される。
従って、例えば児童や障がい者であっても取り扱うことができる。
【００２７】
以上、本考案の実施の形態を説明したが、本考案は、上記した形態に限定されるものでなく、要旨を逸脱しない条件の変更等は全て本考案の適用範囲である。
カッター１０によって切断される対象物は、紙に限定されるものではない。
【符号の説明】
【００２８】
１０  カッター
１２  柄
１４  支持部
１４ａ  樹脂部
１４ｂ  金属部
１６  回転刃
１８  グリップ部
２０  下敷き
１８２ａ  第１の接触面
１８２ｂ  第２の接触面
ＡＸ１  中心軸
ＡＸ２  中心軸
ＡＸ３  回転軸
Ｐ  紙
【図１】
0003200912.tif 000004
【図２】
0003200912.tif 000005
【図３】
0003200912.tif 000006
【図４】
0003200912.tif 000007